(57)【要約】【課題】施工現場において表面に機能パネルを設けた壁の開口部を容易に保護可能な開口部枠設置構造を提供することである。【解決手段】機能パネル１は、壁２０の表面２１に設置されており、壁２０の開口部１０側の側面２２には、開口部枠３０が設けられている。開口部枠３０は、機能パネル１と壁２０とのつなぎ目である重合部１５を遮閉している。機能パネル１は、開口部枠３０に面する側の側面２に、凹状の嵌合溝３を有している。嵌合溝３には、凸状の見切り部材４が嵌められており、強固に合致している。つまり、機能パネル１の側面２は、見切り部材４で保護されている。そのため、機能パネル１の側面２に傷が付くことや、側面２に欠けが生じることが防止されている。【選択図】図１
2012154038.tif 000002
【特許請求の範囲】
【請求項１】
表面に機能パネルを設けた壁の開口部に扉や窓等を設置する開口部枠設置構造において、見切り部材を有し、前記機能パネルの開口部枠に面する側面には嵌合溝が設けられ、見切り部材は該嵌合溝に嵌合保持され、開口部枠が機能パネルと壁との重合部を遮閉していることを特徴とする開口部枠設置構造。
【発明の詳細な説明】
【技術分野】
【０００１】
本発明は、開口部枠設置構造に関し、さらに詳細には、表面に機能パネルを設けた壁の開口部に扉や窓等を設置する開口部枠設置構造に関する。
【背景技術】
【０００２】
住宅用の建築部材として、機能パネルと呼ばれる壁パネルが広く利用されている。例えば、液晶テレビを設置可能なレールを備えたものや、ヒータが内蔵された化粧室用のもの等、目的や用途に応じた様々な機能パネルが用意されている。図２は、従来の開口部枠設置構造を示すものであり、一般的に、機能パネル１０１は壁１０２の表面１０８に設置して利用されるものである。なお、図２では、説明の都合上、断面を図示するハッチングの描写を省略している。
【０００３】
図２において、機能パネル１０１はドア枠１０３にも隣接している。ドア枠１０３は、ドア１０４を開閉可能に支持するための開口部枠であり、戸当り１０５を有している。一般的には、ドア枠１０３は壁１０２よりも幅広であり、チリと呼ばれる段差Ｘを有している。図２においては、機能パネル１０１の幅Ｗが、段差Ｘよりも広くなっている。これは、機能パネル１０１として規格化された量産品を用いていることによるものであり、一方、段差Ｘは施工現場によって異なることによるものである。その結果、機能パネル１０１とドア枠１０３の表面同士に段差が生じ、機能パネル１０１の側面１０６が露出している。この露出した側面１０６は、何ら保護されていないため、傷がつきやすく、欠けが生じることも懸念される。
【０００４】
側面１０６の保護対策として、図３に示すように、従来の開口部枠設置構造である機能パネル１０１とドア枠１０３との間に、仕上げ部材である見切り部材１０７を施工現場で取り付けることが考えられる。しかし、この方法では、施工現場で機能パネル１０１の一部を削り、接着剤等で見切り部材１０７を固定する必要があり、手間が掛かる。なお、図３においても、説明の都合上、断面を図示するハッチングの描写を省略している。
【０００５】
特許文献１には、ドア枠と壁とのつなぎ目（重合部）を装飾額縁材で覆う構成が開示されている。特許文献１に開示された構成では、ドア枠に予め嵌合溝を設けており、この嵌合溝にコ字状の装飾額縁材の一方の端部（嵌合突条）を嵌合させ、装飾額縁材の他方の端部を壁に当接させることで、ドア枠と壁とのつなぎ目を保護している。
【先行技術文献】
【特許文献】
【０００６】
【特許文献１】実開平５−７８８８５号公報
【発明の概要】
【発明が解決しようとする課題】
【０００７】
ところが、特許文献１に記載された構成では、装飾額縁材の嵌合突条の長さが決まっており、壁の上に設置可能な機能パネルの幅に、制限が生じてしまう。幅広の機能パネルを設置した場合には、嵌合突条の長さが足りず、装飾額縁材を取り付けできないことが懸念される。
【０００８】
そこで、本発明は、施工現場において表面に機能パネルを設けた壁の開口部を容易に保護可能な開口部枠設置構造を提供することを目的とする。
【課題を解決するための手段】
【０００９】
上記課題を解決するための請求項１に記載の発明は、表面に機能パネルを設けた壁の開口部に扉や窓等を設置する開口部枠設置構造において、見切り部材を有し、前記機能パネルの開口部枠に面する側面には嵌合溝が設けられ、見切り部材は該嵌合溝に嵌合保持され、開口部枠が機能パネルと壁との重合部を遮閉していることを特徴とする開口部枠設置構造である。
【００１０】
本発明で採用する開口部枠設置構造では、見切り部材を有し、機能パネルの開口部枠に面する側面には嵌合溝が設けられており、見切り部材は該嵌合溝に嵌合保持される。つまり、見切り部材を嵌合溝に嵌めるだけで、簡単に機能パネルの側面を保護可能である。そして、側面が保護された機能パネルと壁との重合部は、開口部枠で遮閉されている。つまり、開口部枠で前記重合部を隠している為、見栄えが良い。
【発明の効果】
【００１１】
本発明の開口部枠設置構造によれば、見切り部材を嵌合溝に嵌めるだけで機能パネルの側面を保護できるため、従来のように施工現場において機能パネルを削る等の面倒な作業を要しない。すなわち、施工現場での作業が容易である。
【００１２】
そして、側面が保護された機能パネルと壁との重合部を、開口部枠で遮閉している為、見栄えが良い。
【図面の簡単な説明】
【００１３】
【図１】本発明の開口部枠設置構造を示す平面図である。
【図２】従来の開口部枠設置構造を示す平面図である。
【図３】従来の開口部枠設置構造に見切り部材を設けたことを示す平面図である。
【発明を実施するための形態】
【００１４】
以下、本発明の開口部枠設置構造の実施形態について、図面を参照しながら詳細に説明する。なお、以下の説明は、実施形態の理解を容易にするためのものであり、これによって、本発明が制限して理解されるべきではない。
【００１５】
図１に示す開口部枠設置構造では、機能パネル１は、壁２０の表面２１に設置されており、壁２０の開口部１０側の側面２２には、開口部枠３０が設けられている。開口部枠３０は、機能パネル１と壁２０とのつなぎ目である重合部１５を遮閉している。
【００１６】
開口部枠３０は戸当り３１を有し、開口部枠３０には扉４０が開閉可能に固定されている。機能パネル１は厚みＡを有しており、図１において開口部枠３０の表面よりも左側に突出している。なお、図１では、説明の都合上、断面を図示するハッチングの描写を省略している。
【００１７】
機能パネル１は、開口部枠３０に面する側の側面２に、凹状の嵌合溝３を有している。嵌合溝３には、凸状の見切り部材４が嵌められており、強固に合致している。見切り部材４の幅Ｂは、機能パネル１の幅Ａと略同等である。見切り部材４の厚みＣは、図３で示した見切り部材１０７よりも薄い。
【００１８】
前述の通り、図１において、機能パネル１の側面２には見切り部材４が嵌められている。つまり、機能パネル１の側面２は、見切り部材４で保護されている。そのため、図１に示したように、機能パネル１の表面が開口部枠３０の表面よりも左側に突出している場合において、機能パネル１の側面２に傷が付くことや、側面２に欠けが生じることが防止されている。また、側面２が見切り部材４で目隠しされていることにより、機能パネル１の意匠性が向上されている。さらに、側面２が保護された機能パネル１と壁２０との重合部１５を、開口部枠３０で遮閉している為、見栄えが良い。
【００１９】
本実施形態の開口部枠設置構造では、機能パネル１の側面２に設けられた嵌合溝３に、見切り部材４を嵌めることにより、側面２が保護される。換言すれば、見切り部材４を嵌合溝３に嵌めるだけで側面２を保護できる。すなわち、作業性に優れており、施工現場における施工時間をより短縮できる。
【００２０】
また、凸状の見切り部材４は、左右対称の形状であり、天地逆の方向にしても嵌合溝３に嵌合可能である。つまり、見切り部材４は、挿入方向を選ばないため、施工現場において挿入方向間違いが生じることはない。
【００２１】
本実施形態の開口部枠設置構造においては、開口部枠３０をドア枠とする例を示したが、本発明はこれに限定されるものではない。例えば、窓枠でも構わない。或いは、機能パネル１がドア枠と窓枠との両方で挟持される場合でも構わない。
【００２２】
本実施形態の開口部枠設置構造においては、見切り部材４の幅Ｂを、機能パネル１の幅Ａと略同等とする例を示したが、本発明はこれに限定されるものではない。例えば、見切り部材４の幅を機能パネル１の表面よりも外側に突出させても構わない。
【符号の説明】
【００２３】
１    機能パネル
２    側面
３    嵌合溝
４    見切り部材
１０    開口部
１５    重合部
２０    壁
２１    表面
３０    開口部枠
４０    扉
【図１】
2012154038.tif 000003
【図２】
2012154038.tif 000004
【図３】
2012154038.tif 000005